(57)【要約】      （修正有）【課題】別部材を用いることなく着用時において開口部が開いた状態を維持することができる、通気性が良好な日焼け防止用マスクを提供する。【解決手段】日焼け防止用マスク１００は、マスク本体１と、顎布２とを備えており、マスク本体１は、下側の両端の接合部１１ａ・１１ｂにおいて顎布２に接合され、接合部１１ａと１１ｂ間の接合されていない部分は、マスク本体１における長さＡが、顎布における長さＢよりも長くなっており、マスク本体１の下端１２と顎布２の接合されていない部分によって正面開口部６が形成されている。【選択図】図１
0003196627.tif 000002
【実用新案登録請求の範囲】
【請求項１】
マスク本体と、顎布とを備えており、
前記マスク本体は、接合されていない部分を挟んで下端の両端の接合部において前記顎布に接合されており、
前記マスク本体における前記接合部間の接合されていない部分の長さが、前記顎布における前記接合部間の接合されていない部分の長さよりも長く、
前記マスク本体の下端と前記顎布の接合されていない部分によって正面開口部が形成されている日焼け防止用マスク。
【請求項２】
前記日焼け防止用マスクを平面に置いたときに、前記マスク本体の前記下端は、接合部を結んだ直線よりも前記マスク本体側に位置する請求項１に記載の日焼け防止用マスク。
【請求項３】
前記マスク本体の側端の一部が前記顎布に接合されている請求項１または２に記載の日焼け防止用マスク。
【請求項４】
請求項マスク本体が四角形の布である請求項１〜３のいずれか１項に記載の日焼け防止用マスク。
【請求項５】
前記マスク本体の両側に脇布を備えており、
前記マスク本体の両側の側端は、接合されていない部分を挟んで上部と下部において前記脇布と接合されており、
前記マスク本体における接合部間の接合されていない部分の長さは、前記脇布における前記接合部間の接合されていない部分の長さよりも長く、
前記両側の側端と前記脇布の接合されていない部分によって側面開口部が形成されている請求項１〜４のいずれか１項に記載の日焼け防止用マスク。
【請求項６】
前記脇布は、前記脇布の上端が前記マスク本体側に折り返された状態で前記マスク本体と接合されている請求項５に記載の日焼け防止用マスク。
【請求項７】
前記顎布が、第１の顎布と第２の顎布を備えており、
前記第２の顎布は、上側の両端付近において接合されていない部分を挟んで前記第１の顎布に接合されており、
第１の顎布における接合部間の接合されていない部分の長さが、前記第２の顎布における前記接合部間の接合されていない部分の長さよりも長く、
前記第１の顎布と第２の顎布の接合されていない部分により首開口部が形成されている請求項１〜６のいずれか１項に記載の日焼け防止用マスク。
【請求項８】
前記正面開口部を構成する前記マスク本体の下端にダーツが形成されている請求項１〜７のいずれか１項に記載の日焼け防止用マスク。
【請求項９】
前記マスク本体の上端は、弾性のある布でパイピングされることにより弾性が付与され、中央にひだが形成されている請求項１〜８のいずれか１項に記載の日焼け防止用マスク。
【考案の詳細な説明】
【技術分野】
【０００１】
本考案は、日常生活、農作業、造園、園芸庭造り等において、顔や首を紫外線から防ぐために用いられる、日焼け防止用マスクに関する。
【背景技術】
【０００２】
従来、農作業等の際に作業者を保護する目的でマスクが用いられており、例えば、着用者の鼻から口元、および首筋から胸元、ならびに肩部を包囲して紫外線を防ぐマスクが提案されている（特許文献１〜２）。
特許文献１には、着用者の息苦しさを解消することを目的として、マスク部の下端部と首筋前部の上端部との間に形成した開口部を備えており、マスク部の下端部の布地を幅方向に広くし、首筋前部に、ゆとりを持って縫着する構成のマスクが記載されている。
また、特許文献２には、スポーツや散歩などにより体を動かしている状態において、排気または吸込における息苦しさを解消することを目的として、マスク部の下端部と首筋前部の上端部との間に形成した開口部に加えて、マスク部の中央部に設けられ、少なくとも、この中央部の形状を設定可能とする第１形状保持部材を備える構成のマスクが記載されている。
【先行技術文献】
【特許文献】
【０００３】
【特許文献１】特許第５３９１３７８号公報
【特許文献２】特許第５４６６７８１号公報
【考案の概要】
【考案が解決しようとする課題】
【０００４】
特許文献１に記載されているマスクは、マスク部の下端部と首筋前部の間に隙間を設けて通気性の向上を図っている。しかし、着用時において隙間が十分に開いた状態を維持できないから十分な通気性を確保できないという問題がある。
特許文献２に記載されているマスクは、通気性を向上させるために、金属等の第１形状保持部材をマスクの中央部に設けた構成を備えている。しかし、マスクの形状を保持するための別部材を使用することは、製造費用の増加につながるという問題がある。
また、特許文献１、２に記載されたマスクはいずれも首の回りを包囲するものであり、首回りの通気性が悪いという問題もあった。特に、帽子と一緒にマスクを着用する場合、帽子の鍔部により効果的に日光を遮ることできる後ろ側にも日除け用の布が設けられていることが通気性を低下させる原因となっていた。
【０００５】
そこで、本考案は、金属等の別部材を用いることなくマスクの開口部が開いた形状を維持することができる、通気性の良好な日焼け防止用マスクを提供することを目的とする。
【課題を解決するための手段】
【０００６】
本考案に係る日焼け防止用マスクは、上記課題を解決するための手段として以下の構成を備えている。
（１）マスク本体と、顎布とを備えており、前記マスク本体は、接合されていない部分を挟んで下端の両端の接合部において前記顎布に接合されており、前記マスク本体における前記接合部間の接合されていない部分の長さが、前記顎布における前記接合部間の接合されていない部分の長さよりも長く、前記マスク本体の下端と前記顎布の接合されていない部分によって正面開口部が形成されている。
【０００７】
（２）（１）において、前記日焼け防止用マスクを平面に置いたときに、前記マスク本体の前記下端は、接合部を結んだ直線よりも前記マスク本体側に位置する。
（３）（１）または（２）において、前記マスク本体の側端の一部が前記顎布に接合されている。
（４）（１）から（３）のいずれか一つにおいて、前記マスク本体が四角形の布である。
【０００８】
（５）（１）から（４）のいずれか一つにおいて、前記マスク本体の両側に脇布を備えており、前記マスク本体の両側の側端は、接合されていない部分を挟んで上部と下部において前記脇布と接合されており、前記マスク本体における接合部間の接合されていない部分の長さは、前記脇布における前記接合部間の接合されていない部分の長さよりも長く、前記両側の側端と前記脇布の接合されていない部分によって側面開口部が形成されている。
【０００９】
（６）（５）において、前記脇布は、前記脇布の上端が前記マスク本体側に折り返された状態で前記マスク本体と接合されている。
（７）（１）から（６）のいずれか一つにおいて、前記顎布が、第１の顎布と第２の顎布を備えており、前記第２の顎布は、上側の両端付近において接合されていない部分を挟んで前記第１の顎布に接合されており、第１の顎布における接合部間の接合されていない部分の長さが、前記第２の顎布における前記接合部間の接合されていない部分の長さよりも長く、前記第１の顎布と第２の顎布の接合されていない部分により首開口部が形成されている。
【００１０】
（８）（１）から（７）のいずれか一つにおいて、前記正面開口部を構成する前記マスク本体の下端にダーツが形成されている。
（９）（１）から（８）のいずれか一つにおいて、前記マスク本体の上端は、弾性のある布でパイピングされることにより弾性が付与され、中央にひだが形成されている。
【考案の効果】
【００１１】
本考案の日焼け防止用マスクは、上記構成により着用時に正面開口部が開いた状態が維持されるから、金属等の別部材を用いることなく、通気性を良好なものとすることができる。
【図面の簡単な説明】
【００１２】
【図１】本考案の実施形態にかかる日焼け防止用マスクを平面に置いた状態の概略を示す正面図である。
【図２】本考案の実施形態にかかる日焼け防止用マスクを着用した状態を示す正面図である。
【図３】本考案の実施形態にかかる日焼け防止用マスクを着用した状態を示す側面図である。
【図４】本考案の実施形態にかかる日焼け防止用マスクを帽子と一緒に着用した状態を示す側面図である。
【図５】脇布の接合状態を示すために、本考案の実施形態に係る日焼け防止用マスクの一部を拡大して示す正面図である。
【図６】図５のＸ−Ｘ’方向から見た日焼け防止用マスクの脇布とマスク本体との関係を模式的に示す側面図である。
【図７】マスク本体の上端のパイピングを説明するマスク本体の正面図である。
【考案を実施するための形態】
【００１３】
以下、本考案の実施形態について、図面を参照して説明する。なお、以下の説明は、本考案のマスクの実施形態を例示すものであって、各構成要素の構成や関係を限定するものではない。
【００１４】
図１は、本考案の実施形態にかかる日焼け防止用マスクを平面に置いた状態の概略を示す正面図である。図２および図３は、本考案の実施形態にかかるマスクの着用状態を示す正面図および側面図である。図１〜３に示すように、本実施形態にかかるマスクは、マスク本体１、顎布２、脇布３、耳かけ紐４および装着用紐５を備えている。
【００１５】
マスク本体１は、装着時に鼻から口にかけて顔を覆う略四角形の布であり、下側の両端の接合部１１a・１１ｂにおいて顎布２と接合されている。接合部１１a・１１ｂの間には接合されていない部分が残されており、接合されていない部分を挟むようにして接合部１１a・１１ｂが設けられている。
【００１６】
マスク本体１両端の接合部１１ａ・１１ｂ間の接合されていない部分は、マスク本体１における長さＡが、顎布２における長さＢよりも長くなっている。マスク本体１の下端１２と顎布２の上端２１２の接合されていない部分により正面開口部６が形成されている。
【００１７】
また、図１に示すように、日焼け防止用マスク１００を平面に置いたときに、マスク本体１の下端１２が接合部１１ａ・１１ｂを結んだ直線Ｌよりもマスク本体１側に位置するように、マスク本体１の両側の接合部１１ａ・１１ｂが顎布２の上端２１２に接合されている。
【００１８】
このため、日焼け防止用マスク１００を着用した場合、図３に示すように、両端の接合部１１ａ・１１ｂから、マスク本体１に矢印Ｃで示した方向への力が加えられる。これにより、マスク本体１の下端１２が顎布２の上端２１２よりも前方にせり出した状態が維持される。したがって、マスクを着用した状態において、マスク本体１の下端１２と顎布２の上端２１２とにより形成される正面開口部６が大きく開いた状態を維持して、通気性が良好なものとすることができる。
なお、本考案において、「接合」とは、一般的な使用態様において、各部材が離れないで接した状態を維持することをいい、例えば、縫合、圧着、接着等が挙げられる。
【００１９】
本実施形態では、マスク本体１における側端１３の下端１２付近の一部を顎布２の上端２１２に接合することにより、平面に置いたときにマスク本体１の下端１２が接合部１１ａ・１１ｂを結んだ直線Ｌよりもマスク本体１側に位置させることができる（図１参照）。この構成により、別部材を用いることなく、正面開口部６が大きく開いた状態を維持することができる。
【００２０】
マスク本体１の下端１２には、中心付近に２つのダーツ１４が設けられている。布にひだをとってつまんで縫い合わせたダーツ１４を設けることにより、マスク本体１の下端１２側の形状がより立体的になる。したがって、着用時において正面開口部６が大きく開いた状態を維持して、通気性を良好にすることができる。
【００２１】
図４は、本考案の実施形態にかかる日焼け防止用マスクを帽子と一緒に着用した状態を示す側面図である。後ろ側は、前側とは異なり、着用者の視界を確保する必要が無いから、帽子の鍔部を十分に下げて日光を遮ることができる。そこで、本実施形態の日焼け防止用マスク１００は、後ろ側には遮光用の布を設けず、前側にのみ顎布２を設けている。このように、日焼け防止用マスク１００は、帽子と併用する際には必要性の低い、首の後ろ側を覆う布を備えていないことから、帽子と併用する場合の通気性が良好であり快適に使用することができる。
【００２２】
図１および図３に示すように、日焼け防止用マスク１００は、マスク本体１の両側に脇布３を備えている。
図５は、脇布の接合状態を示すために、日焼け防止用マスクの一部を拡大した正面図である。同図に示すように、脇布３は、マスク本体１両側の側端１３付近の上部と下部の二か所の接合部３１ａ・３１ｂにおいて、マスク本体１または顎布２と接合されている。接合部３１ａと接合部３１ｂとの間には接合されていない部分が残されており、合部３１ａと接合部３１ｂとが接合されていない部分を挟んでいる。
【００２３】
接合部３１ａと接合部３１ｂとの間のマスク本体１の接合されていない部分の長さが、脇布３の接合されていない部分の長さよりも長くなるように、すなわち、マスク本体１が脇布３よりも余裕をもった状態で接合されている。マスク本体１における両側の側端１３と脇布３の接合されていない部分によって側面開口部７が形成されている。
【００２４】
脇布３をマスク本体１の両側に設けることにより、顔の両側が日焼けすることを防止しつつ、側面開口部７により側面方向の通気を確保することができる。すなわち、図５に示すように、着用者の鼻および口の周辺を覆うマスク本体１の内部空間は、正面開口部６のみでなく、マスク本体１両脇の側面開口部７を介して外部とつながっている。したがって、通気性が非常に良好になり、装着時の快適性が向上する。
【００２５】
図６は、図５のＸ−Ｘ’方向から見た日焼け防止用マスクの脇布とマスク本体との関係を模式的に示す側面図である。同図に示すように、脇布３は上端３２がマスク本体１側に折り返された状態で接合部３１ａにおいて、マスク本体１に接合されている。上端３２の折り返し部３３がマスク本体１を支えることにより、側面開口部７が開いた状態を維持して、通気性を良好にすることができる。
【００２６】
図１〜図３に示すように、顎布２は、第１の顎布２１と第２の顎布２２を備えている。第２の顎布２２は、上端２２２の両端付近において、接合されていない部分を挟んで第１の顎布２１に接合されている。第１の顎布２１における接合部２１１ａと２１１ｂ間の接合されていない部分の長さは、第２の顎布２２における接合部２１１ａと２１１ｂ間の接合されていない部分の長さよりも長い。第２の顎布２２と第１の顎布２１の接合されていない部分により首開口部８が形成されている。
【００２７】
第１の顎布２１と第２の顎布２２とは、第１の顎布２１の下端２１３が第２の顎布２２の上端２２２よりも下になるように接合されている。このように、第１の顎布２１と第２の顎布２２とが重なる部分を首開口部８とすることにより、顎布２１または第２の顎布２２が揺れる度に、首開口部８が開いて、空気の流れが生じる。したがって、首の前側の通気性が良好となり、着用時の快適性が向上する。
【００２８】
図７は、本考案の実施形態にかかる日焼け防止用マスクのマスク本体の上端のパイピングを説明する正面図である。同図に示すように、マスク本体１の上端１５は、伸縮性のある布９でパイピングされており、中央に細かいひだ９１が形成されている。このように、ひだ９１を形成することにより、着用時においてマスク本体１が前方に膨らんだ形状を維持し、通気性を良好にすることができる。
なお、「パイピング」とは、布の端を伸縮性のある共布または別布でくるんだものをいう。
【００２９】
耳かけ紐４および装着用紐５は、日焼け防止用マスク１００を装着するために用いられる。図３に示すように、耳かけ紐４を着用者の耳にかけ、装着用紐５を装着者の頭の後側で結ぶことにより、日焼け防止用マスク１００が所定の位置に装着した状態を維持することができる。
【００３０】
日焼け防止用マスク１００を構成する各部材を構成する素材は一般に用いられているものを用いることができる。例えば、遮光性を備えるとともに、通気性および伸縮性のある布等を用いることができる。各部を構成する布は一枚で用いても複数の布が重ねあわされたものを用いても良い。
【００３１】
以上説明したとおり、本考案の実施形態にかかる日焼け防止用マスクは、別部材を用いることなく正面開口部が開いた状態を維持することができるから、着用時における通気性が良好なものである。
【産業上の利用可能性】
【００３２】
本考案は、日常生活やガーデニングや農作業などの野外作業用の日除け用マスクとして用いることができる。
【符号の説明】
【００３３】
１  マスク本体
１１ａ、１１ｂ  接合部
１２  下端
１３  側端
１４  ダーツ
１５  上端
２  顎布
２１  第１の顎布
２１１ａ、２１１ｂ  接合部
２１２  上端
２１３  下端
２２  第２の顎布
２２２  上端
３  脇布
３１ａ、３１ｂ  接合部
３２  上端
３３  折り返し部
４  耳かけ紐
５  装着用紐
６  正面開口部
７  側面開口部
８  首開口部
９  伸縮性のある布
９１  ひだ
【図１】
0003196627.tif 000003
【図２】
0003196627.tif 000004
【図３】
0003196627.tif 000005
【図４】
0003196627.tif 000006
【図５】
0003196627.tif 000007
【図６】
0003196627.tif 000008
【図７】
0003196627.tif 000009